(57)【特許請求の範囲】
【請求項１】
観覧車の回転輪の少なくとも一方の面に画像を出力する画像出力装置と、前記画像出力装置とネットワークを介して接続された制御装置と、を備える画像出力システムであって、
前記制御装置は、
現在時刻をカウントする第１のタイマーと、
時刻出力システムから時刻情報を取得する第１の時刻情報取得手段と、
前記第１の時刻情報取得手段が取得した時刻情報に基づいて前記第１のタイマーの現在時刻を調整する第１の時刻調整手段と、
前記第１のタイマーがカウントした現在時刻を表示装置に出力する時刻出力手段と、
画像の識別情報と該識別情報で特定される画像の出力開始時刻とを関連付けた情報が含まれるスケジュールデータを編集或いは生成するためのユーザインタフェースを表示装置に出力するユーザインタフェース出力手段と、
前記ネットワークを介して前記画像出力装置に前記スケジュールデータを送信するデータ送信手段と、を備え、
前記画像出力装置は、
現在時刻をカウントする第２のタイマーと、
前記第１の時刻情報取得手段が時刻情報を取得したシステムと同じ前記時刻出力システムから時刻情報を取得する第２の時刻情報取得手段と、
前記第２の時刻情報取得手段が取得した時刻情報に基づいて前記第２のタイマーの現在時刻を調整する第２の時刻調整手段と、
前記スケジュールデータを取得するデータ取得手段と、
前記回転輪の少なくとも一方の面に画像を出力する手段であって、前記第２のタイマーがカウントする現在時刻と前記スケジュールデータに記録された前記出力開始時刻とに基づいて画像の出力を開始する出力制御手段と、を備える、
画像出力システム。
【請求項２】
前記画像出力装置は、前記スケジュールデータに基づいて、前記制御装置に静止画像或いは動画像の少なくとも一方の画像が記録された画像データを要求するデータ要求手段、を備え、
前記制御装置の前記データ送信手段は、前記画像出力装置からの要求に基づいて前記画像データを送信し、
前記画像出力装置の前記データ取得手段は、前記画像データを前記制御装置から取得し、
前記画像出力装置の前記出力制御手段は、前記画像データに含まれる画像を前記回転輪に出力する、
請求項１に記載の画像出力システム。
【請求項３】
前記画像データは、リアルタイムのストリーム動画データである、
請求項２に記載の画像出力システム。
【請求項４】
前記制御装置は、前記データ送信手段が前記画像出力装置に送信した前記スケジュールデータに基づいて、前記画像出力装置が回転輪に画像を出力するのと同じタイミングで、該画像を前記表示装置に出力する画像表示手段、を備える、
請求項１乃至３のいずれか１項に記載の画像出力システム。
【請求項５】
前記回転輪は、外周に複数のゴンドラが配置されており、予め設定された速度で回転し、少なくとも一方の面に複数の発光体が配置されており、
前記データ取得手段は、静止画像或いは動画像の少なくとも一方の画像が記録された画像データを取得し、
前記画像出力装置は、
前記回転輪の回転位置を判別する回転位置判別手段と、
画像を構成する画素の位置情報を前記複数の発光体それぞれに割り当てたマッピング情報を記憶する記憶手段と、
前記マッピング情報と前記画像データとに基づいて前記複数の発光体を発光制御することにより、前記回転輪の少なくとも一方の面に画像を表示する出力制御手段と、を備え、
前記記憶手段には、一定の回転角度毎の、少なくとも前記回転輪１回転分の前記マッピング情報が記憶されており、
前記出力制御手段は、前記回転位置判別手段が判別した前記回転位置に基づいて、前記回転輪が一定角度回転する毎に、前記発光制御に使用する前記マッピング情報を現在の回転位置に対応する前記マッピング情報に切り換える、
請求項１乃至４のいずれか１項に記載の画像出力システム。
【発明の詳細な説明】
【技術分野】
【０００１】
本発明の実施態様は、画像出力システムに関する。
【背景技術】
【０００２】
画像を表示可能な観覧車が知られている。特許文献１には、多数のＬＥＤ素子が配置された回転輪を備え、映像情報に合わせてＬＥＤ素子を調光することにより、回転輪の正面に動画像を表示する観覧車が開示されている。
【先行技術文献】
【特許文献】
【０００３】
【特許文献１】特開２０１３−３７０８６号公報
【発明の概要】
【発明が解決しようとする課題】
【０００４】
回転輪への画像の出力は観覧車に設けられた画像出力ための装置（以下、画像出力装置という。）によって行われる。画像出力装置の制御は、ネットワークを介して接続された操作端末によって行われることがある。操作端末と画像出力装置とが一体の装置でない場合、通信の不具合や２つの装置の内部時刻のズレ等の理由で、ユーザが意図したタイミングで回転輪への画像の出力が行われないことがある。
【０００５】
本発明が解決しようとする課題は、ユーザが意図したタイミングで観覧車に画像を表示することを可能とすることである。
【課題を解決するための手段】
【０００６】
本発明の画像出力システムは、観覧車の回転輪の少なくとも一方の面に画像を出力する画像出力装置と、画像出力装置とネットワークを介して接続された制御装置と、を備える。制御装置は、現在時刻をカウントする第１のタイマーと、時刻出力システムから時刻情報を取得する第１の時刻情報取得手段と、第１の時刻情報取得手段が取得した時刻情報に基づいて第１のタイマーの現在時刻を調整する第１の時刻調整手段と、第１のタイマーがカウントした現在時刻を表示装置に出力する時刻出力手段と、画像の識別情報と該識別情報で特定される画像の出力開始時刻とを関連付けた情報が含まれるスケジュールデータを編集或いは生成するためのユーザインタフェースを表示装置に出力するユーザインタフェース出力手段と、ネットワークを介して画像出力装置にスケジュールデータを送信するデータ送信手段と、を備える。画像出力装置は、現在時刻をカウントする第２のタイマーと、第１の時刻情報取得手段が時刻情報を取得したシステムと同じ時刻出力システムから時刻情報を取得する第２の時刻情報取得手段と、第２の時刻情報取得手段が取得した時刻情報に基づいて第２のタイマーの現在時刻を調整する第２の時刻調整手段と、スケジュールデータを取得するデータ取得手段と、回転輪の少なくとも一方の面に画像を出力する手段であって、第２のタイマーがカウントする現在時刻とスケジュールデータに記録された出力開始時刻とに基づいて画像の出力を開始する出力制御手段と、を備える。
【発明の効果】
【０００７】
本発明によれば、ユーザが意図したタイミングで観覧車に画像を表示することが可能になる。
【図面の簡単な説明】
【０００８】
【図１】実施形態の画像出力システムのブロック図である。
【図２】実施形態の制御装置のブロック図である。
【図３】制御装置の記憶部に各種データが格納されている様子を示す図である。
【図４】制御装置の制御部の機能ブロック図である。
【図５】実施形態の観覧車の正面図である。
【図６】観覧車が備える回転輪の一部拡大図である。
【図７】回転輪に配置される灯具の構成を示す図である。
【図８】実施形態の画像出力装置のブロック図である。
【図９】発光部の構成を示す図である。
【図１０】画像出力装置の記憶部に各種データが格納されている様子を示す図である。
【図１１】画像データの一例を示す図である。
【図１２】（Ａ）は回転輪に配置された灯具を、回転輪を除いた状態で示した図、（Ｂ）は、（Ａ）に示した灯具を図１１に示した画像に縮尺を合わせて重ね合わせた図である。
【図１３】画像出力装置の制御部の機能ブロック図である。
【図１４】第１の時刻調整処理のフローチャートである。
【図１５】スケジュール処理のフローチャートである。
【図１６】スケジュールデータを編集或いは生成するためのユーザインタフェースの一例である。
【図１７】メインウィンドウの上に更新ウィンドウが表示された様子を示す図である。
【図１８】第２の時刻調整処理のフローチャートである。
【図１９】再生制御処理のフローチャートである。
【図２０】画像出力処理のフローチャートである。
【図２１】（Ａ）はホームポジションの状態にある灯具に図１１の画像を重ね合わせたものであり、（Ｂ）は図２１（Ａ）の状態の灯具をマッピング情報に基づいて発光させた様子を示す図である。
【図２２】（Ａ）は、ホームポジションから一定角度回転した灯具に図１１の画像を重ね合わせたものであり、（Ｂ）は、図２２（Ａ）の状態の灯具をマッピング情報に基づいて発光させた様子を示す図である。
【発明を実施するための形態】
【０００９】
以下、発明を実施するための形態について図面を参照しながら説明する。なお、図中、同一または同等の部分には同一の符号を付す。
【００１０】
本実施形態の画像出力システム１は、観覧車に画像（静止画像、動画像、或いはその双方）を出力するシステムである。図１は、画像出力システム１のブロック図である。画像出力システム１は、タイムサーバーＴＳと、制御装置１０と、観覧車２０と、を備える。観覧車２０には、画像出力装置１００が設置されている。
【００１１】
タイムサーバーＴＳ、制御装置１０、及び画像出力装置１００は、ネットワークを介して接続されている。ネットワークは、ＬＡＮ（Local Area Network）、ＷＡＮ（Wide Area Network）、電話網（携帯電話網、固定電話網等）、地域ＩＰ網、インターネット等の通信ネットワークである。ネットワークは、有線ネットワークであってもよいし、無線ＬＡＮ等の無線ネットワークであってもよい。
【００１２】
タイムサーバーＴＳは、正確な時刻情報を、ネットワークを介して外部の装置に出力する装置である。タイムサーバーＴＳは時刻出力システムとして機能する。タイムサーバーＴＳは、例えば、ＧＰＳ（Global Positioning System）受信機を備え、航法衛星（ＧＰＳ衛星）からの信号に基づき正確な現在時刻を判別する。タイムサーバーＴＳは、判別した現在時刻を時刻情報として制御装置１０と画像出力装置１００に送信する。
【００１３】
制御装置１０は、観覧車２０の画像出力を制御するための装置である。制御装置１０は、司令室内に配置され、オペレータによって操作される。司令室は、観覧車２０近くの事務室であってもよいし、遠隔地の事務所であってもよい。制御装置１０は、観覧車２０に配置された画像出力装置１００に対してネットワークを介して画像データ等を送信する。
【００１４】
図２は制御装置１０のブロック図である。制御装置１０は、タイマー１１と、外部インタフェース１２と、通信部１３と、操作部１４と、表示部１５と、記憶部１６と、制御部１７と、を備える。
【００１５】
タイマー１１は、現在時刻をカウントするための装置である。タイマー１１は、例えば、水晶振動子の発振に基づき時刻をカウントするプロセッサである。タイマー１１は、カウントした現在時刻を制御部１７に送信する。なお、タイマー１１は制御部１７の一機能として制御部１７に組み込まれていてもよい。
【００１６】
外部インタフェース１２は、制御装置１０に外部機器を接続するための外部機器接続インタフェースである。外部インタフェース１２は、例えば、ＵＳＢ（Universal Serial Bus）インタフェースである。外部インタフェース１２は、ＵＳＢメモリ等から画像データを取得し、制御部１７を介して記憶部１６に格納する。
【００１７】
通信部１３は、制御装置１０をネットワークに接続するための通信インタフェースである。通信部１４０は、有線インタフェースであってもよいし、無線ＬＡＮ（Wireless Local Area Network）等の無線インタフェースであってもよい。通信部１４０は、ネットワークを介して画像出力装置１００に対して画像データを送信する。
【００１８】
操作部１４は、キーボード、マウス、タッチパネル等の入力装置である。操作部１４は、ユーザの操作情報を制御部１７に通知する。
【００１９】
表示部１５は、液晶ディスプレイ（Liquid Crystal Display）、有機ＥＬディスプレイ（Organic Electro-Luminescent Display）等の表示装置である。表示部１５は、制御部１７の制御に従って、ユーザに各種情報を表示する。
【００２０】
記憶部１６は、ＤＲＡＭ（Dynamic Random Access Memory）、ＳＲＡＭ（Static Random Access Memory）、フラッシュメモリ、ハードディスク等のデータ読み書き可能な記憶装置である。記憶部１６は、制御装置１０の記憶手段として機能する。記憶部１６には、図３に示すように、スケジュールデータ１６ａ、画像データ１６ｂ等のデータが格納されている。
【００２１】
スケジュールデータ１６ａは、観覧車２０に表示される画像の再生時間、再生順序等を画像出力装置１００に対して指定するためのデータである。スケジュールデータ１６ａには、画像の識別情報と該識別情報で特定される画像の出力開始時刻とを関連付けた情報が含まれる。スケジュールデータ１６ａのフォーマットは任意である。本実施形態では、スケジュールデータ１６ａは後述のスケジュール処理によって生成され、ユーザが編集可能である。スケジュールデータ１６ａは、スケジュールフォルダに格納される。
【００２２】
画像データ１６ｂは、観覧車２０の正面或いは背面に表示する画像のデータである。画像データ１６ｂは、複数の画像データから構成され、映像フォルダに格納される。画像データ１６ｂは、静止画像のデータであってもよいし、動画像のデータであってもよい。画像データ１６ｂには、静止画像と動画像の双方が含まれていてもよい。画像データ１６ｂは、例えば、１フレームが５１２×５１２画素の画像で構成されるＡＶＩデータである。
【００２３】
制御部１７は、プロセッサ等の処理装置である。制御部１７は不図示のＲＯＭ（Read Only Memory）やＲＡＭ（Random Access Memory）或いは記憶部１６に格納されているプログラムに従って動作することで、後述の「第１の時刻調整処理」、「スケジュール処理」を含む種々の動作を実現する。
【００２４】
図４は制御部１７の機能ブロック図である。制御部１７は、時刻情報取得部１７ａ、時刻調整部１７ｂ、時刻出力部１７ｃ、ユーザインタフェース出力部１７ｄ、データ送信部１７ｅ、画像表示部１７ｆとしての機能を有する。時刻情報取得部１７ａは制御装置１０の時刻情報取得手段として機能し、時刻調整部１７ｂは制御装置１０の時刻調整手段として機能し、時刻出力部１７ｃは制御装置１０の時刻出力手段として機能し、ユーザインタフェース出力部１７ｄは制御装置１０のユーザインタフェース出力手段として機能し、データ送信部１７ｅは制御装置１０のデータ送信手段として機能し、画像表示部１７ｆは制御装置１０の画像表示手段として機能する。図４に示す各機能ブロックは、ソフトウェアブロックであってもよいし、ハードウェアブロックであってもよい。
【００２５】
図５は、観覧車２０の正面図である。観覧車２０は、複数の鉄骨を組み合わせて形成された回転輪２１を備える。回転輪２１は、支持脚２３によって回転自在に支持されている。回転輪２１は、オペレータ或いは観覧車２０の設計者等により設定された速度で回転する。回転輪２１の外周には複数のゴンドラ２２が配置されている。
【００２６】
図６は、回転輪２１の一部拡大図である。図６では、回転輪２１の構成を視認容易にするため、回転輪２１からゴンドラ２２を取り除いている。回転輪２１は回転軸Ｃを中心に図面時計回りに一定速度で回転する。回転輪２１の構成（骨組み等）は任意に変更可能である。本実施形態の回転輪２１は、回転軸Ｃを中心に放射状に延びるＲ１〜Ｒ３０の３０組の骨組みを備える。Ｒ１〜Ｒ３０は、それぞれ、回転輪２１の外周から回転軸Ｃに向けて一直線に延びる鉄骨２１ａ、２１ｂを備える。
【００２７】
鉄骨２１ａ、２１ｂにはそれぞれ灯具が配置されている。鉄骨２１ａには、Ｌ１〜Ｌ４の４個の灯具が配置されている。また、鉄骨２１ｂには、Ｌ５〜Ｌ２６の２２個の灯具が配置されている。これらの灯具は、外周から中心Ｃに向けて一列に配置されている。本実施形態の場合、回転輪２１にはＲ１〜Ｒ３０の３０組の放射状骨組みがあるので、回転輪２１の一方の面には７８０（＝２６×３０）個の灯具が配置されることになる。本実施形態では、回転輪２１の背面側も、図５及び図６で示した構成と同様の構成となっている。背面側の鉄骨２１ａ、２１ｂにも、正面側と同じように、それぞれ灯具Ｌ１〜Ｌ２６が配置されている。なお、回転輪２１のどちらを正面とするかは観覧車２０の設計者の任意である。
【００２８】
本実施形態の灯具Ｌ１〜Ｌ２６は略同じ構成である。図７には、灯具Ｌ１〜Ｌ２６の代表として、灯具Ｌ１の構成を示している。灯具Ｌ１は、細長の筐体を備える。筐体には、４つの発光体２４が、灯具Ｌ１の長手方向に沿って一列に配置されている。回転輪２１の一方の面には７８０個の灯具が配置されるので、回転輪２１の一方の面には３１２０（＝４×７８０）個の発光体２４が配置されることになる。
【００２９】
発光体２４はそれぞれＬＥＤ（Light Emitting Diode）素子を備える。各発光体２４は後述の制御部１６０の制御に従って発光する。１つの発光体２４が画像の１画素に相当する。１つの発光体２４には、赤、緑、青のＬＥＤが配置されている。これらの色の組み合わせにより、各発光体２４は様々な色を発光する。なお、各灯具には、雷サージ用の回路が配置されていてもよい。雷サージ用の回路を各灯具に分散して配置することにより、落雷による灯具破壊を減少させることができる。
【００３０】
図８は画像出力装置１００のブロック図である。画像出力装置１００は、発光体２４を発光制御することにより、回転輪２１の正面或いは背面に、制御装置１０から送信された画像を表示する装置である。画像出力装置１００は、発光部１１０と、タイマー１２０と、回転センサー１３０と、通信部１４０と、記憶部１５０と、制御部１６０と、を備える。
【００３１】
発光部１１０は、回転輪２１に配置される画像表示装置である。発光部１１０は、回転輪２１の正面及び背面にそれぞれ配置される。なお、本実施形態では、発光部１１０は画像出力装置１００の一部であるものとして説明しているが、画像出力装置１００の外部の構成（例えば、回転輪２１の一部）とみなすことも可能である。図９は、回転輪２１の正面の発光部１１０の構成を示す図である。背面の発光部１１０の構成は、左右対称となっている以外は正面と同じであるので説明を省略する。発光部１１０は、制御盤１１１〜１１４と、複数組の灯具Ｌ１〜Ｌ２６と、を備える。
【００３２】
制御盤１１１〜１１４は、灯具Ｌ１〜Ｌ２６がそれぞれ備える発光体２４の発光を制御するための装置である。制御盤１１１〜１１４は回転輪２１の回転軸Ｃ付近に設置される。制御盤１１１〜１１４は、それぞれ、制御部１６０と接続されている。また、制御盤１１１〜１１４には、それぞれ、複数組の灯具Ｌ１〜Ｌ２６が接続されている。制御盤１１１にはＲ１〜Ｒ８の８組の灯具Ｌ１〜Ｌ２６が接続されており、制御盤１１２にはＲ９〜Ｒ１６の８組の灯具Ｌ１〜Ｌ２６が接続されており、制御盤１１３にはＲ１７〜Ｒ２４の８組の灯具Ｌ１〜Ｌ２６が接続されている。また、制御盤１１４には、Ｒ２５〜Ｒ３０の６組の灯具Ｌ１〜Ｌ２６が接続されている。上述したように、灯具Ｌ１〜Ｌ２６は回転輪２１に配置されている。灯具Ｌ１〜Ｌ２６は、それぞれ複数の発光体２４を備える。制御盤１１１〜１１４は、制御部１６０から受信した信号に基づいて発光体２４を発光制御する。
【００３３】
図８に戻り、タイマー１２０は、現在時刻をカウントするための装置である。タイマー１２０は、例えば、水晶振動子の発振に基づき時刻をカウントするプロセッサである。タイマー１２０は、現在時刻の情報を制御部１６０に送信する。タイマー１２０は制御部１６０の一機能として制御部１６０に組み込まれていてもよい。
【００３４】
回転センサー１３０は、回転輪２１の回転を検出するセンサーである。回転センサー１３０は、例えば、回転輪２１の回転軸Ｃに設置され、回転輪２１が一定角度回転する毎に、制御部１６０に回転検出信号を出力する。回転検出信号はHigh/Lowの電気信号であってもよい。本実施形態では、回転センサー１３０は、一例として、回転輪２１が０．１°回転する毎に制御部１６０に回転検出信号を出力するものとする。制御部１６０は、回転センサー１３０からの信号に基づいて、回転輪２１の回転位置を判別する。
【００３５】
制御部１６０が判別する回転位置は、例えば、回転輪２１がホームポジションＨにある状態からの回転輪２１の回転角度である。本実施形態では、一例として、制御部１６０が判別する回転位置は、０．１°単位の回転角度であるものとする。すなわち、制御部１６０が判別する回転位置は、０°から３５９．９°までの０．１°毎の回転角度である。なお、どの回転位置をホームポジションＨとするかは設計者の任意である。本実施形態では、一例として、ホームポジションＨは、図６に示すように、骨組みＲ１の鉄骨２１ａが頂上に位置しているときの回転輪２１の回転位置であるものとする。
【００３６】
通信部１４０は、画像出力装置１００をネットワークに接続するための通信インタフェースである。通信部１４０は、有線インタフェースであってもよいし、無線ＬＡＮ（Wireless Local Area Network）等の無線インタフェースであってもよい。通信部１４０は、ネットワークを介して制御装置１０から画像データを受信する。通信部１４０は、制御装置１０から受信した画像データを記憶部１５０に格納する。
【００３７】
記憶部１５０は、ＤＲＡＭ（Dynamic Random Access Memory）、ＳＲＡＭ（Static Random Access Memory）、フラッシュメモリ、ハードディスク等のデータ読み書き可能な記憶装置である。記憶部１５０は、画像出力装置１００の記憶手段として機能する。図１０は、記憶部１５０に各種データが格納されている様子を示す図である。記憶部１５０には、スケジュールデータ１５１ａ、画像データ１５１ｂ、マッピングデータ１５２等のデータが格納されている。
【００３８】
スケジュールデータ１５１ａは、回転輪２１に表示される画像の再生時間、再生順序等がスケジュールされたデータである。スケジュールデータ１５１ａには、画像の識別情報と該識別情報で特定される画像の出力開始時刻とを関連付けた情報が含まれる。スケジュールデータ１５１ａは、制御装置１０から送信されたスケジュールデータ１５ａを、制御部１６０がフォーマットを変換して、或いはそのまま記憶部１５０に格納したものである。スケジュールデータ１５１ａは、スケジュールフォルダに格納される。
【００３９】
画像データ１５１ｂは、回転輪２１の正面或いは背面に表示する画像のデータである。画像データ１５１ｂは、複数の画像データから構成され、映像フォルダに格納される。画像データ１５１ｂは、制御装置１０から受信したデータであってもよいし、記憶部１５０に予め記憶されたデータであってもよい。画像データ１５１ｂは、静止画像のデータであってもよいし、動画像のデータであってもよい。画像データには、静止画像と動画像の双方が含まれていてもよい。以下の説明では、画像データ１５１ｂは、一例として、３０フレーム／秒の動画像であるものとし、その１フレームは図１１に示すように、６４×６４画素の画像であるものとする。各画素の位置は、例えば、画像左上を原点としたＸＹ座標値（Ｘ，Ｙ）で表現される。Ｘ軸が水平方向、Ｙ軸が垂直方向である。
【００４０】
図１０に戻り、マッピングデータ１５２は、発光体２４それぞれに、画像データ１５１ｂの画素を割り当てたデータである。マッピングデータ１５２は、複数のマッピング情報から構成される。マッピング情報は、３６０°分用意されており、各マッピング情報には、それぞれ回転輪２１の回転位置の情報が関連付けられている。本実施形態の回転センサー１３０は０．１°毎に回転位置を検出可能であるので、マッピング情報は、０．１°毎の３６００個分用意されている。
【００４１】
図１２（Ａ）及び図１２（Ｂ）を参照しながら、マッピング情報について詳しく説明する。図１２（Ａ）は回転輪２１に配置された灯具Ｌ１〜Ｌ２６を、回転輪２１を除いた状態で示したものである。図１２（Ｂ）は、図１２（Ａ）に示した灯具Ｌ１〜Ｌ２６を、図７に示した画像に縮尺を合わせて重ね合わせたものである。図１２（Ａ）及び図１２（Ｂ）に示した灯具Ｌ１〜Ｌ２６の状態は、回転輪２１がホームポジションＨにあるとき、すなわち、回転輪２１の回転位置が０°のときの状態である。
【００４２】
図１２（Ｂ）を見れば分かるように、Ｒ１の灯具Ｌ１の位置にある画素は（３２，０）である。そのため、設計者は、Ｒ１の灯具Ｌ１に配置された４つの発光体２４に位置情報（３２，０）を割り当てる。また、Ｒ３の灯具Ｌ４の位置にある画素は（４２，１）である。そのため、設計者は、Ｒ３の灯具Ｌ４に配置された４つの発光体２４に位置情報（４２，１）を割り当てる。このようにして、設計者は、回転輪２１に配置された３１２０個全ての発光体２４について位置情報を割り当てていく。そして、設計者は、３１２０個の割り当て情報をマッピング情報１としてマッピングデータ１５２に格納する。設計者は、他の回転位置（本実施形態の場合、０．１〜３５９．９°の３５９９個の回転位置）についても発光体２４に画素の位置情報を割り当て、マッピング情報２〜３６００としてマッピングデータ１５２に格納する。なお、上記説明では、１つの灯具に配置された４つの発光体２４に同じ位置情報が割り当てられるものとしたが、もちろん、４つの発光体２４には異なる位置情報が割り当てられていてもよい。
【００４３】
図８に戻り、制御部１６０は、プロセッサ等の処理装置である。制御部１６０は不図示のＲＯＭやＲＡＭ或いは記憶部１５０に格納されているプログラムに従って動作することで、後述の「第２の時刻調整処理」、「再生制御処理」を含む種々の動作を実現する。
【００４４】
図１３は制御部１６０の機能ブロック図である。制御部１６０は、時刻情報取得部１６１、時刻調整部１６２、データ取得部１６３、回転位置判別部１６４、マッピング情報取得部１６５、出力制御部１６６、データ要求部１６７としての機能を有する。時刻情報取得部１６１は画像出力装置１００の時刻情報取得手段として機能し、時刻調整部１６２は画像出力装置１００の時刻調整部手段として機能し、データ取得部１６３は画像出力装置１００のデータ取得手段として機能し、回転位置判別部１６４は画像出力装置１００の回転位置判別手段として機能し、マッピング情報取得部１６５は画像出力装置１００のマッピング情報取得手段として機能し、出力制御部１６６は画像出力装置１００の出力制御手段として機能し、データ要求部１６７は画像出力装置１００のデータ要求手段として機能する。図１３に示す各機能ブロックは、ソフトウェアブロックであってもよいし、ハードウェアブロックであってもよい。
【００４５】
次に、このような構成を有する画像出力システム１の動作について説明する。画像出力システム１の動作は、制御装置１０が実行する「第１の時刻調整処理」、「スケジュール処理」、及び画像出力装置１００が実行する「第２の時刻調整処理」、「再生制御処理」に分けられる。
【００４６】
最初に「第１の時刻調整処理」について説明する。制御装置１０の制御部１７は、制御装置１０に電源が投入されると第１の時刻調整処理を開始する。上述したように、制御部１７は、時刻情報取得部１７ａ、及び時刻調整部１７ｂとしての機能を有する。以下、図１４のフローチャートを参照して第１の時刻調整処理について説明する。
【００４７】
時刻情報取得部１７ａは、現時点がタイムサーバーＴＳから時刻情報を取得するタイミングか否か判別する（ステップＳ１０１）。時刻情報を取得するタイミング（以下、設定タイミングという。）はユーザが任意に設定可能である。時刻情報を取得するタイミングは、例えば、制御装置１０の起動時、及び１５分毎であってもよい。現時点が設定タイミングでない場合（ステップＳ１０１：Ｎｏ）、時刻情報取得部１７ａは、設定タイミングが来るまでステップＳ１０１を繰り返す。
【００４８】
現時点が設定タイミングである場合（ステップＳ１０１：Ｙｅｓ）、時刻情報取得部１７ａは、タイムサーバーＴＳから時刻情報を取得する（ステップＳ１０２）。そして、時刻調整部１７ｂは、タイマー１１がカウントする現在時刻が時刻情報の示す時刻と一致するよう現在時刻の調整を行う（ステップＳ１０３）。
【００４９】
調整が完了したら、制御部１７はステップＳ１０１に処理を戻し、ステップＳ１０１〜ステップＳ１０３の処理を繰り返す。
【００５０】
次に、スケジュール処理について説明する。制御部１７は、操作部１４を介してユーザからスケジュール処理の開始が命令されると（例えば、スケジュール処理を実行するアプリケーションソフトがユーザによって起動されると）、スケジュール処理を開始する。スケジュール処理は、第１の時刻調整処理に並行して実行される。上述したように、制御部１７は、時刻出力部１７ｃ、ユーザインタフェース出力部１７ｄ、データ送信部１７ｅとしての機能を有する。以下、図１５のフローチャートを参照してスケジュール処理について説明する。
【００５１】
ユーザインタフェース出力部１７ｄは、スケジュールデータ１５ａが記憶部１６に格納されているか否か判別する（ステップＳ２０１）。スケジュールデータ１６ａが記憶部１６に格納されてない場合（ステップＳ２０１：Ｎｏ）、ユーザインタフェース出力部１７ｄは、スケジュールデータ１６ａを記憶部１６からリードすることなく、スケジュールデータ１６ａを生成するためのユーザインタフェースを表示部１５に表示する（ステップＳ２０３）。
【００５２】
スケジュールデータ１６ａが記憶部１６に格納されている場合（ステップＳ２０１：Ｙｅｓ）、ユーザインタフェース出力部１７ｄは、記憶部１６からスケジュールデータ１６ａをリードする（ステップＳ２０２）。そして、ユーザインタフェース出力部１７ｄは、スケジュールデータ１６ａを生成するためのユーザインタフェースを表示部１５に表示する（ステップＳ２０３）。
【００５３】
図１６は、スケジュールデータ１６ａを編集或いは生成するためのユーザインタフェースの一例である。ユーザインタフェースは、メインウィンドウ１５ａを有する。メインウィンドウ１５ａでは、スケジュールデータ１６ａの編集と生成の双方が可能である。メインウィンドウ１５ａは、１５ａ１〜１５ａ５の５つの表示領域を備える。
【００５４】
表示領域１５ａ１は、ユーザが選択可能な画像データを表示するための領域である。表示領域１５ａ１は、画像データが格納されたフォルダの一覧を表示する領域を備える。ユーザがフォルダを選択するとその右にある領域に、そのフォルダに格納されている画像データのサムネイルが表示される。フォルダに格納されている画像データは、回転輪２１に表示可能な画像のデータである。
【００５５】
表示領域１５ａ２は、画像データを再生するための領域である。ユーザが画像データのサムネイルを選択し、再生ボタンを押すと、画面中の黒い領域に画像データが表示される。
【００５６】
表示領域１５ａ３は、現在時刻を出力するための領域である。表示領域１５ａ３に表示される現在時刻は、タイマー１１がカウントした現在時刻である。表示領域１５ａ３に表示される現在時刻は、時刻出力部１７ｃによって出力制御される。
【００５７】
表示領域１５ａ４は、画像データの情報（例えば、プロパティ情報）を表示するための領域である。ユーザが画像データのサムネイルを選択すると、表示領域１５ａ４に画像データの情報が表示される。
【００５８】
表示領域１５ａ５は、回転輪２１に表示される画像の再生時間、再生順序等をユーザがスケジュールするための領域である。表示領域１５ａ５は、画像の出力開始時刻を指定する領域（図中の"００：００"、"００：１５"、・・・・が表示されたテキストボックス）と、画像の再生開始時間を指定する領域（図中の"１分０秒"、"３０分０秒"、・・・・が表示されたテキストボックス）と、再生する画像を配置する領域（図中のサムネイルが配置されたマトリクス状の領域）と、を有する。ユーザは、テキストボックスに、時間と再生時刻を入力し、マトリクス状の領域に、表示領域１５ａ２のサムネイルをドラッグ＆ドロップすることにより、画像の再生をスケジュールする。スケジュール対象の日は、ｅ１に表示された日付を変更することにより変更可能である。
【００５９】
表示領域１５ａ５には、"ファイル転送"ボタン、"保存"ボタン、"終了"ボタン等の操作ボタンが表示されている。この操作ボタンにより、ユーザは、スケジュールデータ１６ａの転送、保存、並びに、スケジュール処理の終了等を行う。
【００６０】
図１５に戻り、ユーザインタフェース出力部１７ｄは、表示領域１５ａ５の"保存"ボタンが押されたか判別する（ステップＳ２０４）。"保存"ボタンが押された場合（ステップＳ２０４：Ｙｅｓ）、ユーザインタフェース出力部１７ｄは、メインウィンドウ１５ａに入力された情報に基づいて新たにスケジュールデータ１６ａを生成し、記憶部１６に保存する（ステップＳ２０５）。
【００６１】
"保存"ボタンが押されていない場合（ステップＳ２０４：Ｎｏ）、ユーザインタフェース出力部１７ｄは、"ファイル転送"ボタンが押されたか判別する（ステップＳ２０６）。"ファイル転送"ボタンが押された場合（ステップＳ２０６：Ｙｅｓ）、ユーザインタフェース出力部１７ｄは、更新ウィンドウ１５ｂを表示する（ステップＳ２０７）。
【００６２】
図１７はメインウィンドウ１５ａの上に更新ウィンドウ１５ｂが表示された様子を示す図である。更新ウィンドウ１５ｂは、画像出力装置１００に保存されているスケジュールデータ１５１ａを更新するためのユーザインタフェースである。更新ウィンドウ１５ｂは、スケジュールデータの送信にあたり、各種オプションを選択可能となっている。ユーザによって更新ウィンドウ１５ｂの"更新開始"ボタンが押されると、データ送信部１７ｅは選択されたオプションに基づいてスケジュールデータ１６ａを整形し、画像出力装置１００に送信する。画像出力装置１００のデータ取得部１６３は、制御装置１０からスケジュールデータ１６ａを取得すると、記憶部１５０に保存されているスケジュールデータ１５１ａを更新する。
【００６３】
図１５に戻り、"ファイル転送"ボタンが押されていない場合（ステップＳ２０６：Ｎｏ）、ユーザインタフェース出力部１７ｄは、 "終了"ボタンが押されたか判別する（ステップＳ２０８）。"終了"ボタンが押されていない場合（ステップＳ２０８：Ｎｏ）、制御部１７は、ユーザの操作に割り当てられた処理を実行する（ステップＳ２０９）。 "終了"ボタンが押された場合（ステップＳ２０８：Ｙｅｓ）、制御部１７は、表示部１５からユーザインタフェースを消去し（ステップＳ２０９）、スケジュール処理を終了する。
【００６４】
次に、第２の時刻調整処理について説明する。画像出力装置１００の制御部１６０は、画像出力装置１００に電源が投入されると第２の時刻調整処理を開始する。上述したように、制御部１６０は、時刻情報取得部１６１、時刻調整部１６２としての機能を有する。以下、図１８のフローチャートを参照して第１の時刻調整処理について説明する。
【００６５】
時刻情報取得部１６１は、現時点がタイムサーバーＴＳから時刻情報を取得するタイミングか否か判別する（ステップＳ３０１）。時刻情報を取得するタイミング（以下、設定タイミングという。）はユーザが任意に設定可能である。時刻情報を取得するタイミングは、例えば、制御装置１０の起動時、及び１５分毎であってもよい。現時点が設定タイミングでない場合（ステップＳ３０１：Ｎｏ）、時刻情報取得部１６１は、設定タイミングが来るまでステップＳ３０１を繰り返す。
【００６６】
現時点が設定タイミングである場合（ステップＳ３０１：Ｙｅｓ）、時刻情報取得部１６１は、タイムサーバーＴＳから時刻情報を取得する（ステップＳ３０２）。そして、時刻調整部１６２は、タイマー１２０がカウントする現在時刻が時刻情報の示す時刻と一致するよう現在時刻の調整を行う（ステップＳ３０３）。
【００６７】
調整が完了したら、制御部１６０はステップＳ３０１に処理を戻し、ステップＳ３０１〜ステップＳ３０３の処理を繰り返す。
【００６８】
次に、再生制御処理について説明する。画像出力装置１００の制御部１６０は、画像出力装置１００に電源が投入されると再生制御処理を開始する。上述したように、制御部１６０は、データ取得部１６３、回転位置判別部１６４、回転位置判別部１６４、マッピング情報取得部１６５、出力制御部１６６としての機能を有する。以下、図１９のフローチャートを参照して再生制御処理について説明する。
【００６９】
データ取得部１６３は、スケジュールデータ１５１ａが更新されているか判別する（ステップＳ４０１）。スケジュールデータ１５１ａが更新されていない場合（ステップＳ４０１：Ｎｏ）、データ取得部１６３はステップＳ４０３に処理を進める。スケジュールデータ１５１ａが更新されている場合、或いは、再生制御処理開始後、初めて実行するステップＳ４０１の実行の場合（ステップＳ４０１：Ｙｅｓ）、データ取得部１６３は、記憶部１５０からスケジュールデータ１５１ａを取得する（ステップＳ４０２）。
【００７０】
次に、出力制御部１６６は、画像の出力開始条件を満たしているか判別する（ステップＳ４０３）。例えば、出力制御部１６６は、タイマー１２０がカウントする現在時刻が、スケジュールデータ１５１ａに記録されている出力開始時刻であるか否か判別する。出力開始条件を満たしていない場合（ステップＳ４０３：Ｎｏ）、出力制御部１６６は、ステップＳ４０１に処理を戻す。
【００７１】
出力開始条件を満たしていない場合（ステップＳ４０３：Ｙｅｓ）、データ取得部１６３は、記憶部１５０の画像データ１５１ｂの中に、該当の画像データ（スケジュールデータ１５１ａで再生開始とされる画像データ）があるか判別する（ステップＳ４０４）。該当の画像データがある場合（ステップＳ４０４：Ｙｅｓ）、データ取得部１６３は、ステップＳ４０７に処理を進める。
【００７２】
該当の画像データがない場合（ステップＳ４０４：Ｎｏ）、データ要求部１６７は、ネットワークを介して、制御装置１０に該当の画像データの送信を要求する（ステップＳ４０５）。制御装置１０のデータ送信部１７ｅは、データ要求部１６７の要求に応じて画像データを画像出力装置１００に送信する。データ取得部１６３は、通信部１４０を介して制御装置１０から画像データを取得する（ステップＳ４０６）。
【００７３】
続いて、制御部１６０は、画像出力処理を開始する（ステップＳ４０７）。画像出力処理は、画像を回転輪２１に表示する処理である。以下、図２０のフローチャートを参照して画像出力処理について説明する。
【００７４】
マッピング情報取得部１６５は、記憶部１５０からマッピングデータ１５２を取得する（ステップＳ５０１）。マッピングデータ１５２には、３６０°分０．１°毎のマッピング情報（図１０に示すマッピング情報１〜３６００）が格納されている。
【００７５】
次に、データ取得部１６３は、記憶部１５０から画像データ１５１を取得する（ステップＳ５０２）。本実施形態の場合、画像データ１５１は、３０フレーム／秒の動画像であり、１フレームは図７に示すように６４×６４画素の画像である。
【００７６】
次に、回転位置判別部１６４は、回転センサー１３０からの信号に基づいて回転輪２１の現在の回転位置を判別する（ステップＳ５０３）。回転位置判別部１６４が判別する回転位置は、例えば、ホームポジションＨからの回転輪２１の０．１°毎の回転角度である。例えば、回転位置判別部１６４は、次の方法を使って回転輪２１の現在の回転位置を判別する。
【００７７】
まず、回転位置判別部１６４は、０°から３５９．９°の範囲を巡回する巡回変数を内部に用意する。上述したように、回転センサー１３０は、回転輪２１が０．１°回転する毎に信号を出力するよう構成されている。回転位置判別部１６４は、回転センサー１３０から信号を受信したら、巡回変数を０．１°カウントアップする。回転位置判別部１６４は、巡回変数の値を回転輪２１の現在の回転位置として判別する。なお、ここに示した方法はあくまで一例である。回転位置判別部１６４は、様々な方法を使って回転輪２１の現在の回転位置を判別可能である。
【００７８】
次に、出力制御部１６６は、複数のマッピング情報の中から現在の回転位置に対応するマッピング情報を選択する（ステップＳ５０４）。例えば、回転輪２１の現在の回転位置がホームポジションＨ（すなわち、０°の位置）にあるのであれば、図１０に示すマッピング情報１〜３６００の中からマッピング情報１を選択する。
【００７９】
続いて、出力制御部１６６は、画像データ１５１に基づいて回転輪２１の正面に配置された３１２０個の発光体２４を発光制御する（ステップＳ５０５）。このとき、出力制御部１６６は、ステップＳ５０４で選択したマッピング情報に基づいて発光体２４を制御する。例えば、回転輪２１の現在の回転位置がホームポジションＨにあるのであれば、出力制御部１６６は、次に示すように発光体２４を制御する。
【００８０】
まず、出力制御部１６６は、マッピング情報１に基づいて、複数の発光体２４それぞれについて、対応する画素の位置を特定する。例えば、Ｒ１の灯具Ｌ１に配置された４つの発光体２４であれば、図１２（Ｂ）に示すように、（３２，０）の位置にある画素を、対応する画素として特定する。出力制御部１６６は、３１２０個ある発光体２４すべてについて、対応する画素の位置を特定する。そして、出力制御部１６６は、画像データ１５１に基づいて、３１２０個ある発光体２４すべてについて、対応する画素の画素値を特定する。出力制御部１６６は、特定した画素値に基づいて発光体２４を発光させる。出力制御部１６６は、回転輪２１が一定角度（例えば、０．１°）回転するまで、同じマッピング情報を使って発光体２４を発光制御する。
【００８１】
図２１（Ａ）は、ホームポジションＨの状態にある灯具Ｌ１〜Ｌ２６に図１１に示す画像を重ね合わせたものであり、図２１（Ｂ）は、マッピング情報１と図７の画像データとに基づいて、図２１（Ａ）の状態の灯具Ｌ１〜Ｌ２６を発光させた様子を示す図である。出力制御部１６６は、背面の発光体２４についても正面の発光体と同様に発光制御する。
【００８２】
続いて、出力制御部１６６は、画像の再生が終了したか判別する（ステップＳ５０６）。画像の再生が終了している場合（ステップＳ５０６：Ｙｅｓ）、制御部１６０は、図１９に示す再生制御処理に戻り、再びステップＳ４０１〜Ｓ４０７を繰り返す。
【００８３】
画像の再生が終了していない場合（ステップＳ５０６：Ｎｏ）、回転位置判別部１６４は、回転輪２１が一定角度（例えば、０．１°）回転したか判別する（ステップＳ５０７）。一定角度（例えば、０．１°）回転したか否かは、回転センサー１３０からの回転検出信号に基づき判別してもよい。回転輪２１が一定角度回転してない場合（ステップＳ５０７：Ｎｏ）、回転位置判別部１６４はステップＳ５０５に処理を戻す。
【００８４】
回転輪２１が一定角度回転している場合（ステップＳ５０７：Ｙｅｓ）、回転位置判別部１６４は、回転輪２１の現在の回転位置を判別する。そして、出力制御部１６６は、発光制御に使用するマッピング情報を現在の回転位置に対応するマッピング情報に切り替える（ステップＳ５０８）。例えば、回転輪２１がホームポジションＨから０．１°回転したのであれば、出力制御部１６６は、発光制御に使用するマッピング情報を図６に示すマッピング情報２に切り替える。回転輪２１が０．１°の回転位置からさらに０．１°回転したのであれば、出力制御部１６６は、発光制御に使用するマッピング情報をマッピング情報３に切り替える。
【００８５】
マッピング情報の切り換えが完了したら、出力制御部１６６は、ステップＳ５０５に戻り、再び、切り替えたマッピング情報を使って発光体２４の発光制御を実行する。図２２（Ａ）は、ホームポジションＨから角度θほど図面時計回りに回転した状態にある灯具Ｌ１〜Ｌ２６に図１１の画像を重ね合わせたものであある。また、図２２（Ｂ）は、マッピング情報と図１１の画像データとに基づいて、図２２（Ａ）の状態の灯具Ｌ１〜Ｌ２６を発光させた様子を示す図である。以後、制御部１６０は、画像の再生が終了するまで、ステップＳ５０５〜ステップＳ５０８の処理を繰り返す。
【００８６】
本実施形態によれば、画像出力装置１００の時刻情報取得部１６１は、制御装置１０の時刻情報取得部１７ａが時刻情報を取得したシステムと同じ時刻出力システム（タイムサーバーＴＳ）から時刻情報を取得している。これにより、制御装置１０の現在時刻と画像出力装置１００の現在時刻が一致する。すなわち、ユーザが見ている時刻（制御装置１０の表示部１５に表示されている時刻）が画像出力装置１００の現在時刻と一致しているので、ユーザは意図したタイミングで観覧車２０に画像を表示できる。
【００８７】
また、制御装置１０の現在時刻と画像出力装置１００の現在時刻が一致しているので、２つの装置の時刻ズレによる不具合もほとんど発生しない。例えば、ユーザが、画像の出力開始時刻直前に画像出力のスケジュールを変更したとする。このとき、制御装置１０の現在時刻と画像出力装置１００の現在時刻がずれていると、ユーザが画像出力のスケジュールを変更した時点で、画像出力装置１００側ではすでに出力開始時刻が過ぎている可能性がある。この場合、ユーザが行ったスケジュールの変更は、画像出力装置１００の画像出力には反映されない。しかし、本実施形態の画像出力システム１は、制御装置１０の現在時刻と画像出力装置１００の現在時刻が一致するよう同じ時刻出力システムを使って時刻を調整しているので、このような問題はほとんど発生しない。
【００８８】
また、制御装置１０がネットワークを介して画像出力装置１００を制御するシステムの場合、通信に不具合が発生すると、画像出力装置１００は画像の出力を行えない可能性がある。しかしながら、本実施形態の画像出力装置１００は、制御装置１０から事前に取得したスケジュールデータに基づいて画像の出力を行っているので、通信に不具合が発生しても、スケジュール通りに画像を再生できる。
【００８９】
また、画像出力装置１００は、一定の回転角度毎の、回転輪２１の１回転分のマッピング情報を記憶し、回転輪２１が一定角度（例えば、０．１°）回転する毎に、発光制御に使用するマッピング情報を現在の回転位置に対応するマッピング情報に切り換えている。従って、画像出力装置１００は、画像を回転輪２１に出力するにあたり、単に、マッピング情報で発光体２４に対応する画素に対応する画素を特定し、その対応する画素の値に基づいて発光体２４を発光制御するだけでよい。すなわち、画像出力装置１００は、画像を回転輪２１に出力するにあたり、回転輪２１の回転に合わせて画像を逆回転させる等の複雑な画像処理を実行する必要がない。これにより、画像出力装置１００の処理の負荷が小さくなるので、高性能のプロセッサを備える等の対策が必要ない。また、処理が容易になるので画像出力装置１００の開発コストも小さくなる。よって、ユーザは低コストで観覧車２０に画像を表示できる。また、処理の負荷が小さくなるので、回転輪２１に表示される動画像もスムーズである。
【００９０】
観覧車によって回転輪の大きさ、骨組みは異なる。そのため、当然、観覧車毎に発光体の配置は異なる。特許文献１の方法の場合、観覧車に映像を出力するためには、観覧車毎にわざわざ専用の映像情報を作成しなければならない。しかしながら、本実施形態の画像出力装置１００は、例え、発光体２４の配置が変わったとしても、画像データはそのままに、マッピング情報を作り直すだけで、回転輪２１に画像を表示できる。ユーザは、観覧車一つのためにわざわざ専用の画像データを作成する必要がない。よって、ユーザは低コストで観覧車２０に画像を表示できる。
【００９１】
制御装置１０が複数の観覧車２０の画像出力を制御する場合も、マッピング情報で発光体の配置の相違を吸収できるので、同一のフォーマットの画像データを複数の観覧車２０に共通で使用できる。本実実施形態の画像出力装置１００を使用することにより、画像作成のコストも少なくなる。
【００９２】
また、画像を表示する複数の発光体２４はそれぞれ複数の灯具Ｌ１〜Ｌ２６に分散して配置されており、複数の灯具Ｌ１〜Ｌ２６には、それぞれ、発光体２４を落雷から保護する雷サージ用の回路が配置されている。雷サージ用の回路を各灯具に分散して配置することにより、落雷による灯具破壊を減少させることができる。
【００９３】
上述の実施形態は一例であり、種々の変更及び応用が可能である。
【００９４】
上述の実施形態では、制御装置１０及び画像出力装置１００が時刻情報を取得する時刻出力システムは、タイムサーバーＴＳであるものとした。しかしながら、時刻出力システムはタイムサーバーＴＳに限られない。例えば、制御装置１０の及び画像出力装置１００はそれぞれＧＰＳ受信機を備え、時刻情報取得部１７ａ、１６１はＧＰＳ受信機を介してＧＰＳ衛星から時刻情報を取得するよう構成されていてもよい。そして、時刻調整部１７ｂ、１６２はＧＰＳ受信機を介して取得した時刻情報に基づいて現在時刻を調整してもよい。このとき、ＧＰＳを時刻出力システムとみなすことができる。時刻出力システムは、タイムサーバーＴＳ及びＧＰＳに限らず、例えば、電波時計の時刻調整に使用される標準電波の送信システムであってもよい。
【００９５】
また、上述の実施形態では、制御装置１０が画像出力装置１００に送信する画像データはＡＶＩデータ等の動画ファイルであるものとした。しかし、制御装置１０が画像出力装置１００に送信する画像データは動画ファイルに限られない。例えば、制御装置１０が画像出力装置１００に送信する画像データは、テレビ放送等、リアルタイムのストリーム動画データであってもよい。このとき、制御装置１０のデータ送信部１７ｅは、データ要求部１６７の要求に応じてストリーム動画データを画像出力装置１００に配信するよう構成されていてもよい。制御装置１０と画像出力装置１００の現在時刻が一致しているので、画像出力装置１００は、リアルタイムのストリーム動画であっても、確実に、配信される映像の先頭から（例えば、ＴＶ番組の先頭から）出力を開始できる。
【００９６】
また、制御装置１０は、画像出力装置１００が回転輪２１へ画像を出力するタイミングに合わせて表示部１５に画像を表示する画像表示部１７ｆを有していてもよい。このとき、画像表示部１７ｆは、スケジュールデータ１６ａに基づいて、画像出力装置１００が回転輪２１へ画像を出力するタイミングを判別する。ユーザは、遠隔地から、現在、回転輪２１に表示されている画像を確認できる。制御装置１０と画像出力装置１００の現在時刻が一致しているので、画像再生タイミングのズレはほとんど発生しない。
【００９７】
また、上述の実施形態では、回転センサー１３０は、０．１°毎に回転輪２１の回転を検出するものとしたが、回転の検出間隔は必ずしも０．１°毎でなくてもよい。検出間隔は０．１°より大きな角度であってもよいし、小さな角度であってもよい。また、回転位置判別部１６４の回転位置の判別単位も必ずしも０．１°単位でなくもよい。出力制御部１６６がマッピング情報を切り換えるタイミングも０．１°毎でなくてもよい。
【００９８】
また、上述の実施形態では、記憶部１５０に回転輪２１の１回転分のマッピング情報が記憶されるものとしたが、記憶部１５０に格納されるマッピング情報は回転輪２１の１回転分より多くてもよい。また、マッピング情報は０．１°毎でなくてもよい。
【００９９】
また、上述の実施形態では、制御装置１０は１つの観覧車２０の画像出力を制御するものとしたが、制御装置１０が画像出力を制御する観覧車２０は複数あってもよい。このとき、複数の観覧車２０は、それぞれ、発光体２４の配置が異なっていてもよい。そして、複数の観覧車２０は、マッピング情報で発光体２４の配置の差異を吸収することにより、他の観覧車２０と共通の画像データが使用できるように構成されていてもよい。
【０１００】
また、上述の実施形態では、画像出力装置１００が出力対象とする画像データは動画像のデータであるのものとしたが、静止画像のデータであってもよい。また、画像データはＡＶＩデータに限られず、例えば、ＭＰＥＧ（Moving Picture Experts Group）、ＪＰＥＧ（Joint Photographic Experts Group）、ＧＩＦ（Graphics Interchange Format）、ＢＩＴＭＡＰ等、他のフォーマットの画像データであってもよい。画像のサイズ（フレームサイズ）も５１２×５１２、６４×６４に限られない。様々なサイズの画像を使用可能である。
【０１０１】
本実施形態の制御装置１０及び画像出力装置１００は、専用のコンピュータシステムによって実現してもよいし、通常のコンピュータシステムにより実現してもよい。例えば、上述の動作を実行するためのプログラムを、光ディスク、半導体メモリ、磁気テープ、フレキシブルディスク等のコンピュータ読み取り可能な記録媒体に格納して配布し、該プログラムをコンピュータにインストールし、上述の処理を実行することによって制御装置１０及び画像出力装置１００を構成してもよい。また、上記プログラムをインターネット等のネットワーク上のサーバ装置が備えるディスク装置に格納しておき、コンピュータにダウンロード等できるようにしてもよい。また、上述の機能を、ＯＳ（Operating System）とアプリケーションソフトとの協働により実現してもよい。この場合には、ＯＳ以外の部分を媒体に格納して配布してもよいし、ＯＳ以外の部分をサーバ装置に格納しておき、コンピュータにダウンロード等できるようにしてもよい。
【０１０２】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことが出来る。この実施形態やその変形は、発明の範囲や要旨に含まれるとともに、特許請求の範囲に記載された発明とその均等の範囲に含まれる。
【符号の説明】
【０１０３】
１...画像出力システム
１０...制御装置
１１、１２０...タイマー
１２...外部インタフェース
１３、１４０...通信部
１４...操作部
１５...表示部
１５ａ...メインウィンドウ
１５ｂ...更新ウィンドウ
１６、１５０...記憶部
１６ａ、１５１ａ...スケジュールデータ
１６ｂ、１５１ｂ...画像データ
１７、１６０...制御部
１７ａ、１６１...時刻情報取得部
１７ｂ、１６２...時刻調整部
１７ｃ...時刻出力部
１７ｄ...ユーザインタフェース出力部
１７ｅ...データ送信部
１７ｆ...画像表示部
２０...観覧車
２１...回転輪
２１ａ、２１ｂ...鉄骨
２２...ゴンドラ
２３...支持脚
２４...発光体
１００...画像出力装置
１１０...発光部
１１１〜１１４...制御盤
１３０...回転センサー
１５２...マッピングデータ
１６３...データ取得部
１６４...回転位置判別部
１６５...マッピング情報取得部
１６６...出力制御部
１６７...データ要求部
ＴＳ...タイムサーバー
Ｒ１〜Ｒ３０...骨組み
Ｌ１〜Ｌ２６...灯具
【図１】
0006475652.tif 000002
【図２】
0006475652.tif 000003
【図３】
0006475652.tif 000004
【図４】
0006475652.tif 000005
【図５】
0006475652.tif 000006
【図６】
0006475652.tif 000007
【図７】
0006475652.tif 000008
【図８】
0006475652.tif 000009
【図９】
0006475652.tif 000010
【図１０】
0006475652.tif 000011
【図１１】
0006475652.tif 000012
【図１２】
0006475652.tif 000013
【図１３】
0006475652.tif 000014
【図１４】
0006475652.tif 000015
【図１５】
0006475652.tif 000016
【図１６】
0006475652.tif 000017
【図１７】
0006475652.tif 000018
【図１８】
0006475652.tif 000019
【図１９】
0006475652.tif 000020
【図２０】
0006475652.tif 000021
【図２１】
0006475652.tif 000022
【図２２】
0006475652.tif 000023